(57)【要約】【課題】荷物を収容するストッカにおいて、コードの読取り精度をより高める。【解決手段】認証カード６０は、一次元コード及び二次元コードのうち１以上を含むコードを読み取る読取部４３と、施錠可能な納品庫４１と、入力したコードを用いて納品庫４１に対する作業を許容又は拒否する制御部５２とを備えたストッカ４０に用いられる。この認証カード６０は、配達者１９の認証番号を含む同一内容のコードが複数配置されている。【選択図】図１
2018035601.tif 000002
【特許請求の範囲】
【請求項１】
一次元コード及び二次元コードのうち１以上を含むコードを読み取る読取部と、施錠可能な納品庫と、入力した前記コードを用いて納品庫に対する作業を許容又は拒否する制御部とを備えたストッカに用いられる認証カードであって、
同一内容の前記コードが複数配置されている、
認証カード。
【請求項２】
前記認証カードには、６個以上１６個以下の範囲の前記コードが配置されている、請求項１に記載の認証カード。
【請求項３】
前記認証カードは、前記コードが縦方向に第１の間隔で均等に配置されると共に、横方向に第２の間隔で均等に配置されている、請求項１又は２に記載の認証カード。
【請求項４】
前記認証カードは、前記読取部と同じ大きさである、請求項１〜３のいずれか１項に記載の認証カード。
【請求項５】
前記コードは、マトリックス型二次元コードである、請求項１〜４のいずれか１項に記載の認証カード。
【発明の詳細な説明】
【技術分野】
【０００１】
本発明は、認証カードに関し、より詳しくは、施錠可能な納品庫を備えたストッカに用いられる認証カードに関する。
【背景技術】
【０００２】
従来、ストッカシステムとしては、顧客が使用するボックスを解錠するシステムが知られている。例えば、特許文献１には、以下のシステムが記載されている。まず、顧客がストッカ（宅配ロッカー）のテンキーを利用して暗証番号を入力するか、又は予め登録したカードをストッカのカードリーダに挿入する。続いて、管理センタのデータベースサーバは入力された暗証番号やカード番号が正しいか否かを判定する。そして、正しいと判定すると、管理センターからの信号によりストッカの扉が開放される。
【先行技術文献】
【特許文献】
【０００３】
【特許文献１】特開２００２−８１３０号公報
【発明の概要】
【発明が解決しようとする課題】
【０００４】
しかしながら、このようなストッカでは、認証カードの読み取りや伝票コードの読み取りなど、様々な入力を行う必要がある。この特許文献１のストッカでは、専用のカード及び専用のカードリーダが必要であり、情報の入力に対して汎用性に乏しかった。また、作業者は、コードを読み取らせる際に、コードが形成された認証カードをコードリーダにかざすことが考えられるが、一様でない持ち方やかざし方をするため、汎用性の高いコードリーダを用いようとすると、読み取り精度が低くなる問題があった。
【０００５】
本発明は、このような課題に鑑みなされたものであり、荷物を収容するストッカシステムにおいて、コードの読取り精度をより高めることができる認証カードを提供することを主目的とする。
【課題を解決するための手段】
【０００６】
本発明は、上述の主目的を達成するために以下の手段を採った。
【０００７】
本明細書で開示する認証カードは、
一次元コード及び二次元コードのうち１以上を含むコードを読み取る読取部と、施錠可能な納品庫と、入力した前記コードを用いて納品庫に対する作業を許容又は拒否する制御部とを備えたストッカに用いられる認証カードであって、
同一内容の前記コードが複数配置されているものである。
【０００８】
この認証カードには、同一内容である、一次元及び／又は二次元コードを含むコードが複数配置されている。このため、読取部は、複数あるコードのうち、例えば、手に一部隠されたり、傾いて持たれて距離が近い遠いなどで読み取れないものがある場合においても、読取できるコードが１以上ある。したがって、この認証カードでは、荷物を収容するストッカシステムにおいて、コードの読取り精度をより高めることができる。
【０００９】
この認証カードには、６個以上１６個以下の範囲の前記コードが配置されているものとしてもよい。コードが６個以上では、読み取りができるコードの存在がより多くなり好ましい。また、コードが１６個以下では、コードの面積が小さくなりすぎず、読み取りやすい。
【００１０】
この認証カードは、前記コードが縦方向に第１の間隔で均等に配置されると共に、横方向に第２の間隔で均等に配置されているものとしてもよい。この認証カードでは、均等間隔でコードが配置されるから、コードの読み取り精度をより高めてくれる。ここで、第１の間隔と第２の間隔とは、異なっていてもよいし、同じでもよい。
【００１１】
この認証カードは、前記読取部と同じ大きさであるものとしてもよい。この認証カードは、読取部にかざしやすい。なお、認証カードの大きさは、読取部と全く同じである場合のほか、おおよそ同じ大きさ（例えば、読取部の８０％以上１２０％以下の面積など）である場合も含む。
【００１２】
この認証カードにおいて、前記コードは、マトリックス型二次元コードであるものとしてもよい。この認証カードでは、情報を比較的多く含めることができる。
【図面の簡単な説明】
【００１３】
【図１】販売管理システム１０及びストッカシステム１１の一例を表す概略説明図。
【図２】認証カード６０の一例を表す説明図。
【図３】認証処理ルーチンの一例を表すフローチャート。
【図４】認証カード６０Ｂの一例を表す説明図。
【発明を実施するための形態】
【００１４】
次に、本発明の実施形態について、図面を用いて説明する。図１は、本発明の一実施形態である販売管理システム１０及びストッカシステム１１の構成の一例を表す概略説明図である。図２は、配達者１９が利用する認証カード６０の一例を表す説明図であり、（ａ）が表面、（ｂ）が裏面である。販売管理システム１０は、店舗２０が管理するシステムであり、販売管理装置２１を備えている。販売管理装置２１は、インターネットなどのネットワーク１２を介して、購入者１４の携帯端末１５などと情報のやりとりを行い、購入者１４に商品１７の販売情報を提供する。販売管理装置２１には、例えば、商品１７の情報を含む商品データベース（ＤＢ）や、顧客の情報を含む顧客ＤＢ、購入品の問合せ番号や商品１７を受け取るストッカ４０の情報などを含む販売情報などが記憶されている。
【００１５】
ストッカシステム１１は、ストッカ管理装置３１と、複数のストッカ４０とを備えている。このストッカシステム１１は、例えば、ストッカ４０Ａ，４０Ｂなどを有している。なお、ストッカ４０Ａ，４０Ｂは、ストッカ４０と総称する。ストッカ管理装置３１は、ネットワーク１３を介してストッカ４０や販売管理装置２１と情報のやりとりを行う。ストッカ管理装置３１には、ストッカ４０の識別番号や配置場所などの情報を含むストッカ情報やストッカ４０に納品された商品１７の問合せ番号や納品庫４１の使用状況などを含む履歴情報などが記憶されている。
【００１６】
ストッカ４０は、店舗２０から配送された商品１７を購入者１４へ受け渡す際に用いられる装置である。ストッカ４０は、多数の購入者１４が利用可能であり、通勤などの外出時に商品１７を受け取ることができるよう、オフィス、コンビニエンスストア、各種公共施設など様々な場所に設置されている。このストッカ４０は、施錠可能な複数の納品庫４１を備えている。納品庫４１の各々は、商品１７等の物品を収容可能な内部空間を有しており、前面の扉４４と、扉４４の施錠及び解錠を行うロック機構４５と、納品庫４１内の物品の有無を検出する物品センサ４６と、扉４４の開閉を検出する開閉センサ４７とを備えている。この納品庫４１のひとつには、制御装置５０が収容され、その扉４４には、表示操作部４２と、読取部４３とが配設されている。表示操作部４２は、ストッカ４０の前面に配置されたタッチパネルであり、商品１７の配達者１９及び購入者１４への各種情報の表示や、配達者１９及び購入者１４からの各種操作の入力を行う。読取部４３は、購入者１４や配達者１９などが納品庫４１の解錠に用いるパスワードなどのコードを読み取るコードリーダである。読取部４３は、一次元コード及び二次元コードのうち１以上を含むコードを読み取る。制御装置５０は、制御部５２と、記憶部５３と、通信部５８とを備えている。制御部５２は、ＣＰＵ、ＲＯＭ及びＲＡＭなどにより構成され装置全体の制御を司るものである。記憶部５３は、各種アプリケーションプログラムや各種データファイルを記憶するものである。通信部５８は、ストッカ管理装置３１などの外部機器と通信を行うものである。記憶部５３には、納品情報５４などが記憶されている。納品情報５４には、商品１７の問合せ番号と、その商品１７を収容した納品庫番号と、受取用パスワードとが対応付けられている。
【００１７】
認証カード６０は、配達者１９に配布されるカードであり、固有の識別番号が印刷された用紙がラミネート加工されたものである（図２参照）。この認証カード６０は、一次元コード及び二次元コードのうち１以上を含むコードを読み取る読取部４３と、施錠可能な納品庫４１と、入力したコードを用いて納品庫４１に対する作業を許容又は拒否する制御部５２とを備えたストッカ４０に用いられる認証カードである。この認証カード６０の裏面には、配達者１９の認証番号を含む情報としての同一内容のマトリックス型の二次元コード６１が複数配置されている。この認証カード６０には、６個以上１６個以下の範囲の二次元コード６１が配置されているものとしてもよい。ここでは、縦３個、横４個、計１２個の二次元コード６１が配置されている。この認証カード６０では、二次元コード６１が縦方向に第１の間隔（Ｙ）で均等に配置されると共に、横方向に第２の間隔（Ｘ）で均等に配置されている。この第１の間隔（Ｙ）と第２の間隔（Ｘ）とは、同じであってもよいし、異なっていてもよい。これらの間隔は、より近い方が読み取り精度をより高めることができ、好ましい。また、認証カード６０は、読取部４３と同じ大きさで形成されている。この認証カード６０の大きさは、読取部４３と全く同じである場合のほか、おおよそ同じ大きさ（例えば、読取部４３の８０％以上１２０％以下の面積など）であるものとしてもよい。
【００１８】
次に、販売管理システム１０、ストッカシステム１１の動作、まず、購入者１４からの発注を受けて販売管理装置２１及びストッカ管理装置３１が行う処理の概要について説明する。販売管理装置２１は、購入者１４から注文を受けると、その注文の問合せ番号などを含む販売情報を記憶すると共に、購入者１４が商品１７の保管を希望するストッカ４０の情報や、その販売情報をストッカ管理装置３１へ送信する。そのストッカ４０において、配達者１９が問合せ番号を用いて商品１７の納品を完了すると、ストッカ４０は、受取用パスワードを生成してストッカ管理装置３１へ送信する。受取用パスワードは、購入者１４によりストッカ４０での受取りの際に用いられるものである。ストッカ管理装置３１では、この受取用パスワードを履歴情報に記憶すると共に、販売管理装置２１へ送信する。販売管理装置２１は、受信した受取用パスワードと問合せ番号とを文字及びコードで購入者１４の携帯端末１５へ送信する。購入者１４は、これらのコードを読取部４３から入力し商品１７の受取りを行う。
【００１９】
次に、ストッカ４０で実行される認証カード６０を用いた認証処理について説明する。ここでは、認証番号を予め付与された配達者１９が認証カード６０を用いてストッカ４０を操作する場合について説明する。図３は、ストッカ４０の制御部５２によって実行される認証処理ルーチンの一例を表すフローチャートである。このルーチンは、記憶部５３に記憶され、ストッカ４０の起動と共に実行される。このルーチンが開始されると、制御部５２は、まず、表示操作部４２に認証画面を表示させる（ステップＳ１００）。認証画面を確認した配達者１９は、認証カード６０を読取部４３へかざす。このとき、配達者１９が認証カード６０のどこの部分に指がかかっているとしても、認証カード６０には、二次元コード６１が複数配置されているため、読取部４３では、そのいずれかを読み取り可能である。また、配達者１９が読取部４３に対して平行ではない状態や斜めにかざした場合など、二次元コード６１のうち、読取部４３に近いもの、遠いものがある中で、そのいずれかのうち１つは読み取ることができる。この読取部４３は、いずれか１つの二次元コード６１を認識すると、活性化が終了して次の処理へ移るよう設定されており、２つ以上の二次元コード６１を読み取ることはない。
【００２０】
制御部５２は、二次元コード６１を読み取るまで待機し（ステップＳ１１０）、二次元コード６１を読み取ると、この二次元コード６１から認証番号を生成し、ストッカ４０を予め操作可能として登録された認証番号と照合する（ステップＳ１２０）。認証番号が照合されなかったときには、制御部５２は、エラーを報知し（ステップＳ１３０）、ステップＳ１００以降の処理を実行する。一方、認証番号が照合されたときには、納品処理を許可し（ステップＳ１４０）、このルーチンを終了する。
【００２１】
ここで、本実施形態の構成要素と本発明の構成要素との対応関係を明らかにする。本実施形態の読取部４３が本発明の読取部に相当し、納品庫４１が納品庫に相当し、制御部５２が制御部に相当し、二次元コード６１がコードに相当する。
【００２２】
以上説明した実施形態の認証カード６０は、この認証カードには、同一内容である、一次元及び／又は二次元コードを含むコードが複数配置されている。このため、読取部４３は、複数あるコードのうち、例えば、手に一部隠されたり、傾いて持たれて距離が近い遠いなどで読み取れないものがある場合においても、読取できるコードが１以上ある。したがって、この認証カード６０では、商品１７（荷物）を収容するストッカシステム１１において、コードの読取り精度をより高めることができる。また、認証カード６０には、６個以上１６個以下の範囲のコードが配置されているため、例えば、コードが６個以上では読み取りができるコードの存在がより多くなり好ましく、コードが１６個以下ではコードの面積が小さくなりすぎず、読み取りやすい。更に、認証カード６０は、二次元コード６１が縦方向に第１の間隔Ｙで均等に配置されると共に、横方向に第２の間隔Ｘで均等に配置されているため、二次元コード６１の読み取り精度をより高めてくれる。更にまた、認証カード６０は、読取部４３と同じ大きさであるため、読取部４３にかざしやすい。そして、認証カード６０に形成されているのがマトリックス型の二次元コード６１であるため、この認証カード６０では、情報を比較的多く含めることができる。そしてまた、認証カード６０は、印刷した用紙をラミネート加工したものであるため、ＩＣカードなどに情報を記憶するものに比して手軽に低コストで作製することができる。そして更に、読取部４３は、認証カード６０の二次元コード６１のほか、商品１７に添付されたコードや、伝票に記載されたコードなども読み取るため、より汎用性を向上することができる。
【００２３】
なお、本発明は上述した実施形態に何ら限定されることはなく、本発明の技術的範囲に属する限り種々の態様で実施し得ることはいうまでもない。
【００２４】
例えば、上述した実施形態では、二次元コード６１が縦横に均等に配置されているものとしたが、複数の二次元コード６１が配置されていれば、均等に配置されていないものとしてもよい。
【００２５】
上述した実施形態では、認証カード６０は、読取部４３の面積と同じ程度の大きさで形成されているものとしたが、特にこれに限定されず、両者の面積が異なっていてもよい。
【００２６】
上述した実施形態では、認証カード６０には、同じ内容の二次元コード６１が複数配置されているものとしたが、図４に示すように、同じ内容のバーコード６１Ｂ（一次元コード）が複数配置された認証カード６０Ｂとしてもよい。図４は、認証カード６０Ｂの一例を表す説明図である。この認証カード６０Ｂによっても、商品１７（荷物）を収容するストッカシステム１１において、コードの読取り精度をより高めることができる。なお、認証カード６０には、一次元コードと二次元コードとが混在してもよい。
【産業上の利用可能性】
【００２７】
本発明は、商品をストッカに配送する商品流通システムの技術分野に利用可能である。
【符号の説明】
【００２８】
１０  販売管理システム、１１  ストッカシステム、１２，１３  ネットワーク、１４  購入者、１５  携帯端末、１７  商品、１９  配達者、２０  店舗、２１  販売管理装置、３１  ストッカ管理装置、４０，４０Ａ，４０Ｂ  ストッカ、４１  納品庫、４２  表示操作部、４３  読取部、４４  扉、４５  ロック機構、４６  物品センサ、４７  開閉センサ、５０  制御装置、５２  制御部、５３  記憶部、５４  納品情報、５８  通信部、６０  認証カード、６１  二次元コード、Ｙ  第１の間隔、Ｘ  第２の間隔。
【図１】
2018035601.tif 000003
【図２】
2018035601.tif 000004
【図３】
2018035601.tif 000005
【図４】
2018035601.tif 000006